(57)【特許請求の範囲】
【請求項１】
物体側から順に、正の屈折力を有し変倍のためには移動しない第１群と、負の屈折力を有し変倍に際して移動する第２群と、負の屈折力を有し変倍に際して移動する第３群と、正の屈折力を有し変倍のためには移動しない第４群と、で構成されるズームレンズにおいて、
該第１群は、屈折率をＮｐ、アッベ数をνｐ、としたとき、
７０＜νｐ＜８５、
２．３１ ＜ Ｎｐ＋０．０１×νｐ＜ ２．５８、
１．６＜Ｎｐ＜1.85
を満足する正レンズを含み、該正レンズの焦点距離をｆｐ、該第１群を構成する負レンズの合成焦点距離をｆｎａとするとき、
１．２５＜｜ ｆp ／ ｆna ｜ ＜ １．７
であることを特徴とするズームレンズ。
但し、該合成焦点距離fnaは、該第１群がｎ個の負レンズを含み、ｉ番目の負レンズの焦点距離をfniとしたとき、以下の式で表される焦点距離とする。
【数１】
0005836157.tif 000006
【請求項２】
前記第１群の焦点距離をｆ１、前記ズームレンズの望遠端における焦点距離をｆｔｅｌｅとしたとき、
１．８ ＜ ｆｔele／ｆ１＜２．７
０．９＜ ｆｔele／ｆp＜１．３
を満足することを特徴とする請求項１に記載のズームレンズ。
【請求項３】
前記第１群を構成するレンズのうち、前記正レンズの部分分散比をθｐ、該第１群を構成する負レンズのアッベ数、部分分散比の平均値をνna、θnaとしたとき、
−１．７×１０−３＜(θp-θna)/(νp-νna) ＜ −１．０×１０−３
４０＜νp-νna ＜ ５５
を満足することを特徴とする請求項１又は２に記載のズームレンズ。
但し、部分分散比θは、ｇ線における屈折率をＮｇ、Ｆ線における屈折率をＮＦ、Ｃ線における屈折率をＮＣとしたとき、
θ＝（Ｎｇ−ＮＦ）／（ＮＦ−ＮＣ）
で表されるとする。
【請求項４】
前記第１群は固定の第１ａ群、合焦のために移動する正の屈折力を有する第１ｂ群で構成され、前記第１ａ群は２枚以上の負レンズと１枚以上の正レンズで構成される請求項１乃至３のいずれか１項に記載のズームレンズ。
【請求項５】
前記ズームレンズの広角端における焦点距離をｆｗｉｄｅ、イメージサイズの対角長をISとしたとき、
０．６ ＜ ｆwide／ＩＳ ＜ ０．８
を満足することを特徴とする請求項１乃至４のいずれか１項に記載のズームレンズ。
【請求項６】
前記ズームレンズの望遠端における焦点距離をｆｔｅｌｅ、広角端における焦点距離をｆｗｉｄｅとすると、
１５ ＜ ｆtele／ｆwide
を満足することを特徴とする請求項１乃至５のいずれか１項に記載のズームレンズ。
【請求項７】
前記第１群は、請求項１に記載した前記正レンズを複数枚有することを特徴とする請求項１乃至６のいずれか１項に記載のズームレンズ。
【請求項８】
前記第１群の焦点距離をｆ１、前記第３群の焦点距離をｆ３とすると、
−０．８＜ｆ３／ｆ１＜−０．５
を満足することを特徴とする請求項１乃至７のいずれか１項に記載のズームレンズ。
【請求項９】
前記第１群の焦点距離をｆ１、前記第２群の焦点距離をｆ２とすると、
−０．３４＜ｆ２／ｆ１＜−０．１０
を満足することを特徴とする請求項１乃至８のいずれか１項に記載のズームレンズ。
【請求項１０】
請求項１乃至９のいずれか１項に記載のズームレンズを有する撮像装置。
【発明の詳細な説明】
【技術分野】
【０００１】
本発明は、テレビカメラやビデオカメラ及び写真用カメラ、デジタルカメラに好適なズームレンズに関し、特に１５倍を超える高倍率を達成しつつ、望遠端の色収差が良好で、高性能、小型軽量なズームレンズ及びそれを有する撮像装置に関するものである。
【背景技術】
【０００２】
従来から、物体側から順に変倍中固定の正の屈折力を有する第１群、変倍用の負の屈折力を有する第２群と、変倍に伴う像面の変動を補正する負の屈折力を有する第３群と、変倍中固定の正の屈折力を有する第４群からなるズームレンズは多く提案されている。
【０００３】
特許文献１、２には、ズーム比１８〜２１程度、広角端の画角５５°以上７５°未満の高倍率ズームレンズが提案されている。
【先行技術文献】
【特許文献】
【０００４】
【特許文献１】特開２００４−１０９９９３号公報
【特許文献２】特開２００９−０３７０３６号公報
【発明の概要】
【発明が解決しようとする課題】
【０００５】
特許文献１、２には、数値実施例においてズーム比１８〜２１程度、広角端の画角５５°以上７５°未満の高倍率ズームレンズが開示されている。しかし、特許文献１、２は数値実施例の第１群正レンズの分散が小さくなく、屈折率が充分には高くないことが原因で、望遠端の収差補正が不充分であり、高性能化と小型化の両立は図れていない。
【０００６】
本発明の例示的な目的は、特に放送用のズームレンズに最適で、ズーム比１５以上であって、さらに、望遠側の色収差を良好に補正したズームレンズおよびそれを有する撮像装置を提供することである。
【課題を解決するための手段】
【０００７】
上記目的を達成するために、本発明に係るズームレンズ及びそれを有する撮像装置は、物体側から順に、正の屈折力を有し変倍のためには移動しない第１群と、負の屈折力を有し変倍に際して移動する第２群と、負の屈折力を有し変倍に際して移動する第３群と、正の屈折力を有し変倍のためには移動しない第４群と、で構成されるズームレンズにおいて、該第１群は、屈折率をＮｐ、アッベ数をνｐ、としたとき、
７０＜νｐ＜８５
２．３１ ＜ Ｎｐ＋０．０１×νｐ＜ ２．５８
１．６＜Ｎｐ＜１．８５
を満足する正レンズを有し、該正レンズの焦点距離をｆｐ、該第１群を構成する負レンズの合成焦点距離をｆｎａとしたとき、
１．２５＜｜ ｆp ／ ｆna ｜ ＜ １．７
であることを特徴とする。
【０００８】
但し、該合成焦点距離fnaは、前記第１群がｎ個の負レンズを含み、ｉ番目の負レンズの焦点距離をfnｉとしたとき、
【数１】
0005836157.tif 000002
で表される焦点距離とする。
【０００９】
本発明の更なる目的又はその他の特徴は、以下、添付の図面を参照して説明される好ましい実施例等によって明らかにされるであろう。
【発明の効果】
【００１０】
本発明によれば、ズーム比１５以上の高倍率を達成しながら、望遠側の色収差を良好に補正することができる、高性能、小型軽量なズームレンズを達成することができる。
【図面の簡単な説明】
【００１１】
【図１】実施例１のズームレンズの広角端における断面図である。
【図２】実施例１のズームレンズの（Ａ）広角端、（Ｂ）焦点距離f=33.29mm、（Ｃ）望遠端での収差図である。
【図３】実施例２のズームレンズの広角端における断面図である。
【図４】実施例２のズームレンズの（Ａ）広角端、（Ｂ）焦点距離f=32.48mm、（Ｃ）望遠端での収差図である。
【図５】実施例３のズームレンズの広角端における断面図である。
【図６】実施例３のズームレンズの（Ａ）広角端、（Ｂ）焦点距離f=30.45mm、（Ｃ）望遠端での収差図である。
【図７】実施例４のズームレンズの広角端における断面図である。
【図８】実施例４のズームレンズの（Ａ）広角端、（Ｂ）焦点距離f=27.41mm、（Ｃ）望遠端での収差図である。
【図９】正レンズ群の２色色消しと二次スペクトル残存に関する模式図
【図１０】光学材料のアッベ数νと部分分散比θの分布の模式図
【発明を実施するための形態】
【００１２】
以下に、本発明の実施の形態を添付の図面に基づいて詳細に説明する。
本発明のズームレンズにおいては、第１群内の正レンズの屈折率、分散特性、および、前記正レンズの屈折力と負レンズの屈折力の比を規定することにより、望遠端における色収差の良好な補正と、レンズ全体の小型化を両立する。
【００１３】
ズームレンズは、物体側から順に、正の屈折力を有し変倍のためには移動しない第１群と、負の屈折力を有し変倍に際して移動する第２群と、変倍に伴う像面変動を補正するために移動する負の屈折力を有する第３群と、正の屈折力を有し変倍のためには移動しない第４群と、から構成される。
第１群は、下記の条件式（１）、（２）、（３）を満足する正レンズを有する。
７０＜νｐ＜８５                                    ・・・（１）
２．３１＜Ｎｐ＋νｐ×１０−２＜２．５８            ・・・（２）
１．６＜Ｎｐ＜１．８５                              ・・・（３）
ここで、Ｎｐは前記正レンズの屈折率、νｐは前記正レンズのアッベ数である。さらに、条件式（１）、（２）、（３）を満足する正レンズの焦点距離をｆｐ、第１群を構成する負レンズの合成焦点距離をｆｎａとしたとき、条件式（４）を満足する。
１．２５＜｜ ｆp ／ ｆna ｜ ＜ １．７                ・・・（４）
【００１４】
ここで、合成焦点距離fnaは、第１群がｎ個の負レンズを含み、第ｉ番目の負レンズの焦点距離をfniとしたとき、以下の式で表される焦点距離とする。
【数２】
0005836157.tif 000003
【００１５】
上述の基本構成を有するズームレンズの特徴について説明する。
条件式（１）、（２）、（３）は、第１群の正レンズの光学硝子の高屈折率かつ低分散な特性を規定している。通常、光学硝子は何種類もの金属酸化物を含有している。例えばSiO2、TiO2、La2O3、Al2O3、Nb2O5、ZrO2、Gd2O3等である。その中で例えばTiO2は屈折率を高め、アッベ数を小さくする効果があり、TiO2を多く含有する硝子は比較的高屈折率かつ高分散の特性を有する。また、Gd2O3は屈折率を高めアッベ数を大きくする効果があり、Gd2O3を多く含有する硝子は比較的高屈折率かつ低分散の特性を有することが知られている。元々のTiO2やGd2O3がそれぞれ高屈折率かつ高分散、高屈折率かつ低分散の特性を有し、それらを含む硝子の特性が元々の金属酸化物の特性に近づくことになる。
【００１６】
このように光学硝子はその含有する金属酸化物等の量によって特性が変わり、その成分の量を適切に設定することで所望の光学特性を有する硝子が得られる。これは光学セラミックスにおいても同様で、例えば高屈折率かつ低分散な特性を有する物質を多く含む光学セラミックスは比較的高屈折率かつ低分散な特性を有する。
【００１７】
高屈折率かつ低分散な物質としては、前述のGd2O3やAl2O3、Lu3Al5O12がある。これらの物質とSiO2、TiO2、La2O3等の金属酸化物の分量を適切に設定し溶解又は焼結させることで、所望の光学特性（屈折率、アッベ数）を持つ光学硝子やセラミックス等の光学材料を得ることができる。
また条件式（１）は、第１群における軸上色収差の二次スペクトル残存量を減少させ、望遠端における軸上色収差の二次スペクトルを適切に補正するための条件も規定している。
【００１８】
図９に正レンズ群の２色色消しと二次スペクトル残存に関する模式図を示す。
【００１９】
図１０に現存する光学材料のアッベ数νと部分分散比θの分布の模式図を示す。ここでアッベ数νおよび部分分散比θは、ｇ線における屈折率をＮｇ、Ｆ線における屈折率をＮＦ、ｄ線における屈折率をＮｄ、Ｃ線における屈折率をＮＣとしたとき、
ν  ＝  （Ｎｄ−１）／（ＮＦ−ＮＣ）          ・・・（５）
θ  ＝  （Ｎｇ−ＮＦ）／（ＮＦ−ＮＣ）        ・・・（６）
である。
図１０に示すように、現存する光学材料はνに対しθが狭い範囲に分布しており、νが小さいほどθが大きい傾向を持っている。
【００２０】
屈折力φ１、φ２、アッベ数ν１、ν２の２枚のレンズ１、２で構成される、所定の屈折力φを有する薄肉系の色収差補正条件は、
φ１／ν１＋φ２／ν２＝０              ・・・（７）
であらわされる。ここで、
φ＝φ１＋φ２                          ・・・（８）
である。（７）式を満たす場合、Ｃ線とＦ線の結像位置が合致する。
【００２１】
この時の屈折力φ１、φ２は、（７）、（８）式を解くことによって以下のように表される。
φ１＝φ×ν１／（ν１−ν２）          ・・・（９）
φ２＝−φ×ν２／（ν１−ν２）        ・・・（１０）
【００２２】
図９において、正レンズ群の色消しでは正レンズ１としてアッベ数ν１の大きな材料、負レンズ２としてν２の小さな材料を用いる。したがって、図１０より正レンズ１はθ１が小さく、負レンズはθ２が大きくなって、Ｆ線とＣ線で色収差を補正するとｇ線の結像点が像側にずれる。このずれ量を二次スペクトル量△として定義すると、
△＝（１／φ）×（θ２―θ１）／（ν１―ν２）      ・・・（１１）
であらわされる。
【００２３】
ここで、第１群、２群、３群、４群の二次スペクトル量をΔ１、Δ２、Δ３、Δ４、第２群、３群、４群の結像倍率をβ２、β３、β４とすると、
レンズ全系における二次スペクトル量Δは以下の式で表される。
△＝△１×β２２×β３２×β４２
＋△２×（１−β２）×β３２×β４２
＋△３×（１−β３）×β４２
＋△４×（１−β４）                  ・・・（１２）
△は、望遠側で軸上マージナル光線が高い位置を通る第１群で顕著に発生する。したがって、第１群で発生する軸上色収差二次スペクトル量△１を抑制することで望遠側の軸上色収差Δを低減することが出来る。
【００２４】
条件式（１）は、第１群を構成する正レンズのアッベ数の条件を規定している。条件式（１）の下限を越えると、（１１）式におけるν１が小さくなり、Δ１が大きくなるため、望遠端の軸上色収差の補正が困難となる。また、第１群における各単レンズの屈折力が大きくなり、望遠端の諸収差、特に球面収差、コマ収差の補正が困難となる。条件式（１）の上限を越えると、低分散かつ高屈折率のガラス硝材を製造することが困難となる。
【００２５】
条件式（２）は、前記第１群を構成する正レンズのアッベ数と屈折率の関係式を規定している。条件式（２）の下限を越えると、正レンズのガラスが、高屈折率かつ低分散でなくなるため、小型化と高倍率化を達成しつつ、望遠端の諸収差を良好に補正することが困難となる。条件式（２）の上限を越えると、低分散かつ高屈折率のガラス硝材を製造することが困難となる。
【００２６】
条件式（３）は、第１群を構成する正レンズの屈折率の条件を規定している。条件式（３）の下限を越えると、正レンズの曲率が増大するため、望遠端の諸収差、特に球面収差、コマ収差の補正が困難となる。また正レンズの肉厚が増大するため、小型化を達成することが困難となる。条件式（３）の上限を越えると、低分散かつ高屈折率のガラス硝材を製造することが困難となる。
【００２７】
条件式（４）は、第１群を構成する正レンズの屈折力に対する、第１群内の負レンズの屈折力の比を規定している。条件式（４）の上限、下限を超えると、第１群を構成する正レンズの色収差の発生を負レンズにより適正に補正することが困難となり、望遠端の軸上色収差、倍率色収差の補正が困難となる。
【００２８】
さらに、本発明のズームレンズにおいては、望遠端の焦点距離と第１群の焦点距離の比、望遠端の焦点距離と第１群の正レンズの焦点距離の比を規定することにより、高倍率化を達成しながら良好な軸上色収差補正を達成することを可能とする。
【００２９】
第１群の焦点距離をｆ１、前記ズームレンズの望遠端における焦点距離をｆｔｅｌｅとしたとき、条件式（１３）を満足する。
１．８ ＜ ｆtele／ｆ１＜２．７                  ・・・（１３）
条件式（１３）の下限を超えると前記第１群の焦点距離が増大して、高倍率化と小型化の両立が困難となってくる。条件式（１３）の上限を超えると、前記第１群により発生する二次スペクトルの望遠端における拡大率が増大し、高倍率化を達成しながら望遠端の軸上色収差を良好に補正することが困難となってくる。
【００３０】
さらに、条件式（１４）を満足する。
０．９＜ ｆtele／ｆp＜１．３                    ・・・（１４）
条件式（１４）の下限を超えると、高屈折率、高部分分散比を有する正レンズの屈折力が減少し、高倍率化、小型化を達成しながら望遠端の諸収差を良好に補正することが困難となってくる。条件式（１４）の上限を超えると、前記正レンズにより発生する二次スペクトルの望遠端における拡大率が増大し、高倍率化を達成しながら望遠端の軸上色収差を良好に補正することが困難となってくる。
さらに、本発明のズームレンズにおいては、第１群のレンズ材料の分散特性を規定することにより、望遠端における軸上色収差の二次スペクトルを良好に補正することを可能とする。
【００３１】
第１群を構成するレンズのうち、前記正レンズの部分分散比をθｐ、第１群を構成する負レンズのアッベ数、部分分散比の平均値をνna、θnaとしたとき、条件式（１５）を満足する。（部分分散比θ＝（Ｎｇ−ＮＦ）／（ＮＦ−ＮＣ））
−１．７×１０−３＜(θp-θna)/(νp-νna) ＜−１．０×１０−3・・・（１５）  条件式（１５）の下限を超えると（１１）式より、第１群の二次スペクトルが増大してしまい、望遠端の軸上色収差を良好に補正することが困難となってくる。条件式（１５）の上限を超えると、正レンズに用いる低分散かつ高屈折率かつ高部分分散比のガラス硝材を製造することが困難となる。
【００３２】
さらに、下記の条件式（１６）を満足する。
４０＜νp-νna ＜ ５５                        ・・・（１６）
条件式（１６）の下限を超えると（１１）式より、第１群の二次スペクトルが増大してしまい、望遠端の軸上色収差を良好に補正することが困難となってくる。第１群における正レンズ・負レンズの屈折力が大きくなる。これにより、望遠端の諸収差、特に球面収差、コマ収差の補正が困難となってくる。条件式（１６）の上限を超えると、正レンズに用いる低分散かつ高屈折率のガラス硝材を製造することが困難となる。
さらに、本発明のズームレンズにおいては、最適な第１群の構成を規定し、ズーム比１５以上の高倍率を達成しながら、望遠側の色収差を良好に補正することを可能とする。
【００３３】
第１群は移動しない部分系である第１ａ群、合焦のために移動する正の屈折力を有する部分系である第１ｂ群で構成され、第１ａ群は２枚以上の負レンズと１枚以上の正レンズで構成される。第１ａ群に含まれる負レンズが１枚以下の場合、負レンズの曲率、屈折力が増大し、望遠端の諸収差、（特に球面収差、コマ収差）、広角端の諸収差、（特に像面湾曲、歪曲）を補正することが困難となってくる。
さらに、本発明のズームレンズにおいては、適切な広角端の画角を規定し、望遠側の色収差良好に補正し、小型のズームレンズを達成することを可能とする。
【００３４】
ズームレンズの広角端における焦点距離をｆｗｉｄｅ、イメージサイズの対角長をISとしたとき、条件式（１７）を満足する。
０．６ ＜ ｆwide／ＩＳ ＜ ０．８              ・・・（１７）
条件式（１７）の下限を超えると、第１群の有効径が増大し小型化が困難となってくる。
【００３５】
さらに、本発明のズームレンズにおいては、望遠端の焦点距離と広角端の焦点距離の比（ズーム比）を規定し（条件式（１８））、望遠側の軸上色収差良好に補正し、小型のズームレンズを達成することを可能とする。
１５ ＜ ｆtele／ｆwide                        ・・・（１８）
また、ここで、第１群の焦点距離をf1、第３群の焦点距離をf3とするとき、
−０．８＜ｆ３／ｆ１＜−０．５              ・・・（１９）
を満足すると尚好ましい。
さらに、第１群の焦点距離f1と第２群の焦点距離f2は、以下の条件を満たす。
−０．３４＜ｆ２／ｆ１＜−０．１０        ・・・（２０）
この条件式（２０）の下限を超えると変倍による移動レンズ群のストロークが増大して全系が大型化してしまう。逆に、上限を超えると小型化には有利であるが、変倍（ズーミング）に伴う収差変動が増大してしまうため好ましくない。
【００３６】
上記の条件式（１）〜（４）、（１３）〜（２０）に関しては、上限値または下限値を下記の条件式（１ａ）〜（４ａ）、（１３ａ）〜（２０ａ）の上限値や下限値と適宜置き換えても構わない。
７１＜νp＜８３                              ・・・（１ａ）
２．４０＜Ｎp＋νp×１０−２＜２．５６       ・・・（２ａ）
１．７０＜Ｎp＜１．８０                      ・・・（３ａ）
１．４２＜｜ｆp／ｆna｜＜１．６８            ・・・（４ａ）
１．９５＜ｆtele／ｆ１＜２．５０              ・・・（１３ａ）
０．９６＜ｆtele／ｆp＜１．２８               ・・・（１４ａ）
−１．４３×１０-3 < (θp-θna)/(νp-νna) < −１．１０×１０-3
・・・（１５ａ）
４２．０＜νp-νna＜５４．０                  ・・・（１６ａ）
０．６５＜ｆwide／ＩＳ＜０．７７               ・・・（１７ａ）
１７＜ｆtele／ｆwide＜１００                    ・・・（１８ａ）
−０．７５＜ｆ３／ｆ１＜−０．５５             ・・・（１９ａ）
−０．２４＜ｆ２／ｆ１＜−０．１７             ・・・（２０ａ）
【００３７】
さらに、本発明のズームレンズにおいては、ズーム比１５以上の高倍率を達成しながら、望遠側の色収差を良好に補正するために、最適な第１群の構成を規定している。すなわち、第１群は、条件式（１）、（２）、（３）を満足する正レンズを複数枚有することにより、低分散かつ高屈折率ガラスを複数枚有することで、望遠側の諸収差をより良好に補正することが可能となる。
また、撮像装置が本発明のズームレンズを有することによって、本発明のズームレンズの良好な光学特性を有する撮像装置を実現することができる。
【実施例１】
【００３８】
図１は本発明の実施例１としての数値実施例１の広角端におけるレンズ断面図である。
図２に、数値実施例１の（Ａ）広角端、（Ｂ）焦点距離f=33.29ｍｍ、（Ｃ）望遠端における収差図を示す。なお、収差図においては、ｅはｅ線の収差を、ｇはｇ線の収差を、ＣはＣ線の収差を、Ｍはメリディオナル像面収差を、Ｓはサジタル像面収差を示す。以後の実施例においても同様とする。
【００３９】
図１に示すように、本実施例のズームレンズは、第１群としての正の屈折力の前玉レンズ群Ｆ、第２群としての変倍のための（変倍時に移動する）負の屈折力のバリエータＶ、第３群としての負の屈折力のコンペンセータＣを有する。第１群Ｆは、最も物体側に配置され、変倍及び合焦のためには移動しない部分系１ａと、変倍のためには移動せず合焦のために移動する正の部分系１ｂとを含む。バリエータＶは、光軸上を像面側へ単調に移動することにより、広角端から望遠端への変倍を行っている。コンペンセータＣ（第３群）は、変倍時に移動する（変倍に伴う像面変動を補正するために光軸上を物体側へ非直線的に移動する）群である。バリエータＶとコンペンセータＣとで変倍系を構成している。本実施例のズームレンズは、さらに、絞りＳＰ、第４群としての結像作用を有する正の屈折力の固定のリレ−群Ｒ、図１ではガラスブロックＰとして示されている色分解プリズムや光学フィルタ−等を含む。Ｉは撮像面である。
【００４０】
次に、本実施例における第１群について説明する。第１群は光学面の番号を物体側から定義すると第１面〜第１１面に対応する。第１群は物体側より順に負レンズ、接合された負レンズ正レンズ、正レンズ、正レンズ、正レンズで構成される。部分系１ｂの３つの正レンズのうち、物体側から３番目のレンズが、第１群内で（１）〜（３）の条件式を満たす正レンズに対応している。
【００４１】
Ａ３乃至Ａ１２は非球面係数である。非球面係数は光軸からの高さＨの位置での光軸方向の変位を面頂点を基準にしてｘとするとき
【数３】
0005836157.tif 000004
で表される。但しＲは近軸曲率半径、Ｋは円錐定数である。
【００４２】
本実施例の各条件式対応値を表１に示す。本数値実施例はいずれの条件式も満足しており、ズーム比１５以上の高倍率を達成しながら小型化し、望遠端での色収差を良好に補正した高い光学性能を達成している。
【００４３】
〈数値実施例１〉
面番号      r         d        nd        vd       θgF     有効径   焦点距離
1     -223.45343   1.80000  1.749505   35.33    0.5818     82.244   -137.397
2      194.06538   7.63289  1.000000    0.00    0.0000     80.932      0.000
3      364.95393   1.80000  1.805181   25.42    0.6161     81.553   -349.851
4      159.45624  12.75657  1.603001   65.44    0.5402     81.360    130.591
5     -151.97488   7.51342  1.000000    0.00    0.0000     81.403      0.000
6      121.54321   7.78135  1.496999   81.54    0.5374     77.484    242.193
7   -17493.36128   0.15000  1.000000    0.00    0.0000     76.885      0.000
8      108.73357   5.88409  1.603001   65.44    0.5402     72.614    243.017
9      408.59180   0.15000  1.000000    0.00    0.0000     71.782      0.000
10       70.43354   5.76546  1.750000   80.00    0.5350     65.003    163.947
11      158.45221    (可変)  1.000000    0.00    0.0000     63.888      0.000
12      228.51871   0.70000  1.882997   40.76    0.5667     28.537    -19.524
13       16.09375   5.92575  1.000000    0.00    0.0000     23.056      0.000
14     -123.22284   6.59158  1.805181   25.42    0.6161     22.806     20.658
15      -15.12931   0.70000  1.754998   52.32    0.5476     22.449    -13.274
16       30.69250   0.68266  1.000000    0.00    0.0000     20.578      0.000
17       23.41300   0.00000  1.603420   38.03    0.5835     20.701      0.000
18       23.41300   5.61128  1.603420   38.03    0.5835     20.701     25.084
19      -39.63535   0.87654  1.000000    0.00    0.0000     20.116      0.000
20      -24.85315   0.00000  1.834807   42.71    0.5642     20.060      0.000
21      -24.85315   0.70000  1.834807   42.71    0.5642     20.060    -36.411
22     -134.69050    (可変)  1.000000    0.00    0.0000     20.030      0.000
23      -28.31196   0.70000  1.743198   49.34    0.5530     21.016    -23.517
24       46.74031   2.80000  1.846660   23.78    0.6205     23.024     53.738
25    -2634.95643    (可変)  1.000000    0.00    0.0000     23.582      0.000
26        0.00000   1.30000  1.000000    0.00    0.0000     27.173      0.000
27      360.02406   4.37816  1.658441   50.88    0.5561     28.456     48.297
28      -34.89116   0.15000  1.000000    0.00    0.0000     28.872      0.000
29       93.08862   2.19749  1.516330   64.14    0.5352     29.438    175.279
30    -3728.15108   0.15000  1.000000    0.00    0.0000     29.412      0.000
31       89.50375   5.99606  1.516330   64.14    0.5352     29.351     46.348
32      -32.07960   1.80000  1.834000   37.16    0.5775     29.170    -45.285
33     -210.90952  35.20000  1.000000    0.00    0.0000     29.472      0.000
34       50.75524   5.87995  1.516330   64.14    0.5352     29.416     51.234
35      -53.47990   1.66628  1.000000    0.00    0.0000     29.069      0.000
36      -77.65579   1.80000  1.834807   42.71    0.5642     28.026    -24.898
37       28.90020   6.25307  1.517417   52.43    0.5564     27.645     42.686
38      -88.44268   4.16857  1.000000    0.00    0.0000     27.910      0.000
39       86.74243   6.92791  1.487490   70.23    0.5300     28.439     47.050
40      -30.50355   1.80000  1.834000   37.16    0.5775     28.316    -46.521
41     -143.17764   0.17683  1.000000    0.00    0.0000     29.013      0.000
42       52.44781   4.89567  1.518229   58.90    0.5456     29.347     58.673
43      -70.71601   4.50000  1.000000    0.00    0.0000     29.186      0.000
44        0.00000  30.00000  1.603420   38.01    0.5795     40.000      0.000
45        0.00000  16.20000  1.516330   64.15    0.5352     40.000      0.000
46        0.00000   0.00000  1.000000    0.00    0.0000     40.000      0.000
【００４４】
非球面データ
第12面
K = 8.58860e+000  A 4= 7.05382e-006  A 6=-1.80303e-008
A 8= 7.49637e-011  A10=-8.01854e-013  A12= 5.80206e-015
A 3=-4.50041e-007  A 5= 1.66019e-008  A 7=-8.87373e-010
A 9= 1.99340e-011  A11=-1.17115e-013
各種データ
ズーム比     20.00 
広角     中間     望遠
焦点距離       8.20    33.29   164.00
Fナンバー      1.80     1.80     2.66
画角          33.85     9.38     1.92
像高           5.50     5.50     5.5
レンズ全長   280.51   280.51   280.51
BF             7.50     7.50     7.50
d11            1.42    37.40    53.80
d22           55.23    13.88     5.98
d25            4.40     9.77     1.28
d46            7.50     7.50     7.50
入射瞳位置    51.31   187.24   622.86
射出瞳位置   230.52   230.52   230.52
前側主点位置  59.82   225.50   907.45
後側主点位置  -0.70   -25.80  -156.50
ズームレンズ群データ
群  始面    焦点距離  レンズ構成長  前側主点位置  後側主点位置
1    1      71.00        51.23        33.39          1.21
2   12     -13.70        21.79         2.59        -11.43
3   23     -42.20         3.50        -0.07         -1.98
4   26      66.54       135.44        80.62       -150.27
【実施例２】
【００４５】
図３は本発明の実施例２としての数値実施例２の広角端におけるレンズ断面図である。
図４に、数値実施例２の（Ａ）広角端、（Ｂ）焦点距離f=32.48ｍｍ、（Ｃ）望遠端における収差図を示す。
【００４６】
図３に示すように、本実施例のズームレンズは、第１群としての正の屈折力の前玉レンズ群Ｆ、第２群としての変倍のための負の屈折力のバリエータＶ、第３群としての負の屈折力のコンペンセータＣを有する。第１群Ｆは、最も物体側に配置され、変倍及び合焦のためには移動しない部分系１ａと、変倍のためには移動せず合焦のために移動する正の部分系１ｂとを含む。バリエータＶは、光軸上を像面側へ単調に移動することにより、広角端から望遠端への変倍を行っている。コンペンセータＣは、変倍に伴う像面変動を補正するために光軸上を物体側へ非直線的に移動する。バリエータＶとコンペンセータＣとで変倍系を構成している。本実施例のズームレンズは、絞りＳＰ、第４群としての結像作用を有する正の屈折力の固定のリレ−群Ｒ、図３ではガラスブロックＰとして示されている色分解プリズムや光学フィルタ−等を含む。Ｉは撮像面である。
【００４７】
次に、本実施例における第１群について説明する。第１群は第１面〜第１２面に対応する。第１群は物体側より順に負レンズ、接合された負レンズ正レンズ、正レンズ、正レンズ、正レンズで構成される。部分系１ｂの３つの正レンズのうち、物体側から１番目のレンズが、第１群内で（１）〜（３）の条件式を満たす正レンズに対応している。
【００４８】
本実施例の各条件式対応値を表１に示す。本数値実施例はいずれの条件式も満足しており、ズーム比15倍以上の高倍率を達成しながら小型化し、望遠端での色収差を良好に補正した高い光学性能を達成している。
【００４９】
〈数値実施例２〉
面番号      r         d        nd        vd       θgF     有効径   焦点距離
1     -207.12874   2.20000  1.903660   31.32    0.5947     92.610   -195.098
2     1253.74480   0.22357  1.000000    0.00    0.0000     90.193      0.000
3      464.19661   1.80000  1.846660   23.78    0.6205     89.404   -278.784
4      157.21405   0.00000  1.000000    0.00    0.0000     88.764      0.000
5      157.21405  17.78833  1.438750   94.93    0.5343     88.764    168.692
6     -135.66403  15.28125  1.000000    0.00    0.0000     88.893      0.000
7      154.01514   9.06647  1.750000   80.00    0.5350     82.955    152.122
8     -433.99120   0.15000  1.000000    0.00    0.0000     82.403      0.000
9       88.92908   5.40898  1.496999   81.54    0.5374     73.330    341.450
10      182.47319   0.15000  1.000000    0.00    0.0000     72.318      0.000
11       64.48551   5.33341  1.788001   47.37    0.5559     66.681    181.928
12      112.46327    (可変)  1.000000    0.00    0.0000     65.866      0.000
13    -4711.01659   0.70000  1.882997   40.76    0.5667     32.299    -18.209
14       16.22923   6.11952  1.000000    0.00    0.0000     25.191      0.000
15      178.48903   8.43733  1.805181   25.42    0.6161     25.035     17.040
16      -14.69378   0.70000  1.785896   44.20    0.5631     24.775    -12.099
17       27.93756   0.59326  1.000000    0.00    0.0000     22.149      0.000
18       22.10241   5.94868  1.603420   38.03    0.5835     22.417     28.377
19      -70.20760   2.77320  1.000000    0.00    0.0000     21.771      0.000
20      -32.38249   0.70000  1.834807   42.71    0.5642     20.267    -44.223
21     -256.06847    (可変)  1.000000    0.00    0.0000     20.139      0.000
22      -28.30393   0.70000  1.743198   49.34    0.5530     19.306    -23.480
23       46.57202   2.56654  1.846660   23.78    0.6205     20.876     53.545
24    -2634.95643    (可変)  1.000000    0.00    0.0000     21.395      0.000
25        0.00000   1.30000  1.000000    0.00    0.0000     26.642      0.000
26     -170.11950   3.89982  1.658441   50.88    0.5561     27.195     59.174
27      -32.11307   0.15000  1.000000    0.00    0.0000     27.824      0.000
28       68.04045   2.75260  1.516330   64.14    0.5352     28.809    266.411
29      132.29771   0.15000  1.000000    0.00    0.0000     28.776      0.000
30       64.10290   6.71441  1.516330   64.14    0.5352     28.865     45.101
31      -35.47253   1.80000  1.834000   37.16    0.5775     28.662    -52.577
32     -185.02472  36.00000  1.000000    0.00    0.0000     28.971      0.000
33       36.25477   6.44145  1.516330   64.14    0.5352     29.046     48.255
34      -75.72963   1.66628  1.000000    0.00    0.0000     28.447      0.000
35     -159.00624   1.80000  1.834807   42.71    0.5642     26.762    -26.455
36       25.94676   6.27159  1.517417   52.43    0.5564     25.520     39.574
37      -91.03732   2.50000  1.000000    0.00    0.0000     25.600      0.000
38       45.40373   7.46228  1.487490   70.23    0.5300     25.147     38.735
39      -30.76105   1.80000  1.834000   37.16    0.5775     24.368    -39.054
40     -513.13421   0.17683  1.000000    0.00    0.0000     24.250      0.000
41      221.38660   3.34276  1.518229   58.90    0.5456     24.190    103.410
42      -70.71601   4.50000  1.000000    0.00    0.0000     23.996      0.000
43        0.00000  30.00000  1.603420   38.01    0.5795     40.000      0.000
44        0.00000  16.20000  1.516330   64.15    0.5352     40.000      0.000
45        0.00000   0.00000  1.000000    0.00    0.0000     40.000      0.000
【００５０】
非球面データ
第13面
K = 7.37782e+004  A 4= 1.25381e-005  A 6= 8.68114e-009
A 8=-6.25554e-011  A10= 1.19225e-012  A12= 4.99158e-015
A 3=-4.55264e-006  A 5=-2.29691e-007  A 7=-2.19772e-009
A 9= 1.54902e-011  A11=-1.78164e-013  
各種データ
ズーム比     23.00 
広角     中間     望遠
焦点距離       8.00    32.48   184.00
Fナンバー      1.90     1.90     2.80
画角          34.51     9.61     1.71
像高           5.50     5.50     5.50
レンズ全長   288.34   288.34   288.34
BF             3.86     3.86     3.86
d12            0.73    35.81    51.94
d21           55.03    15.05     9.67
d24            7.14    12.05     1.30
d45            3.86     3.86     3.86
入射瞳位置    56.45   200.21   769.97
射出瞳位置  1325.43  1325.43  1325.43
前側主点位置  64.50   233.49   979.59
後側主点位置  -4.14   -28.62  -180.14
ズームレンズ群データ
群  始面    焦点距離  レンズ構成長  前側主点位置  後側主点位置
1    1      70.20        57.40        36.45         -0.10
2   13     -13.63        25.97         3.19        -12.57
3   22     -42.20         3.27        -0.06         -1.85
4   25      51.61       134.93        53.52       -115.90
【実施例３】
【００５１】
図５は本発明の実施例３としての数値実施例３の広角端におけるレンズ断面図である。
図６に、数値実施例３の（Ａ）広角端、（Ｂ）焦点距離f=30.45ｍｍ、（Ｃ）望遠端における収差図を示す。
【００５２】
図５に示すように、本実施例のズームレンズは、第１群としての正の屈折力の前玉レンズ群Ｆ、第２群としての変倍のための負の屈折力のバリエータＶ、第３群としての負の屈折力のコンペンセータＣを有する。第１群Ｆは、最も物体側に配置され、変倍及び合焦のためには移動しない部分系１ａと、変倍のためには移動せず合焦のために移動する正の部分系１ｂとを含む。バリエータＶは、光軸上を像面側へ単調に移動することにより、広角端から望遠端への変倍を行っている。コンペンセータＣは、変倍に伴う像面変動を補正するために光軸上を物体側へ非直線的に移動する。バリエータＶとコンペンセータＣとで変倍系を構成している。本実施例のズームレンズは、さらに、絞りＳＰ、第４群としての結像作用を有する正の屈折力の固定のリレ−群Ｒ、図５ではガラスブロックＰとして示されている色分解プリズムや光学フィルタ−等を含む。Ｉは撮像面である。
【００５３】
次に、本実施例における第１群について説明する。第１群は第１面〜第１２面に対応する。第１群は物体側より順に負レンズ、接合された負レンズ正レンズ、正レンズ、正レンズ、正レンズで構成される。部分系１ａの正レンズが、第１群内で（１）〜（３）の条件式を満たす正レンズに対応している。
【００５４】
本実施例の各条件式対応値を表１に示す。本数値実施例はいずれの条件式も満足しており、ズーム比１５倍以上の高倍率を達成しながら小型化し、望遠端での色収差を良好に補正した高い光学性能を達成している。
【００５５】
〈数値実施例３〉
面番号      r         d        nd        vd       θgF     有効径   焦点距離
1     -217.44675   1.80000  1.786500   50.00    0.5514     81.810   -100.728
2      126.02373   5.96050  1.000000    0.00    0.0000     79.133      0.000
3      481.11288   1.80000  1.805181   25.42    0.6161     79.467   -193.220
4      118.18375   0.00000  1.000000    0.00    0.0000     79.988      0.000
5      118.18375  15.54046  1.750000   80.00    0.5350     79.988    106.807
6     -236.77188   0.94773  1.000000    0.00    0.0000     80.504      0.000
7      177.35457   9.00662  1.496999   81.54    0.5374     79.765    240.003
8     -361.35164   5.44946  1.000000    0.00    0.0000     79.292      0.000
9      104.06070  11.08892  1.496999   81.54    0.5374     75.111    149.245
10     -251.67493   0.15000  1.000000    0.00    0.0000     74.399      0.000
11       62.53316   6.64154  1.729157   54.68    0.5444     66.245    150.339
12      138.24464    (可変)  1.000000    0.00    0.0000     65.403      0.000
13      140.19640   0.70000  1.882997   40.76    0.5667     27.590    -18.157
14       14.42872   5.81456  1.000000    0.00    0.0000     21.754      0.000
15     -113.57346   6.19262  1.808095   22.76    0.6307     21.567     18.838
16      -13.87750   0.70000  1.816000   46.62    0.5568     21.220    -12.447
17       39.48694   0.86113  1.000000    0.00    0.0000     19.909      0.000
18       24.50248   5.18350  1.567322   42.80    0.5730     20.048     24.401
19      -29.75353   0.57401  1.000000    0.00    0.0000     19.679      0.000
20      -24.11269   0.70000  1.882997   40.76    0.5667     19.492    -34.401
21     -115.95632    (可変)  1.000000    0.00    0.0000     19.485      0.000
22      -26.84349   0.70000  1.743198   49.34    0.5530     20.731    -22.804
23       47.09876   2.87317  1.846660   23.78    0.6205     22.827     51.850
24     -733.95031    (可変)  1.000000    0.00    0.0000     23.426      0.000
25        0.00000   1.30000  1.000000    0.00    0.0000     25.479      0.000
26      687.58552   5.54551  1.658441   50.88    0.5561     26.655     50.753
27      -35.18441   0.15000  1.000000    0.00    0.0000     27.811      0.000
28       82.70199   2.62194  1.517417   52.43    0.5564     28.651    150.888
29    -1500.49263   0.15000  1.000000    0.00    0.0000     28.661      0.000
30       86.85411   6.20384  1.522494   59.84    0.5439     28.663     42.964
31      -29.68753   1.80000  1.834807   42.71    0.5642     28.508    -44.584
32     -147.55235  25.00000  1.000000    0.00    0.0000     28.951      0.000
33       72.96419   5.29616  1.516330   64.14    0.5352     29.141     53.518
34      -43.63605   1.02297  1.000000    0.00    0.0000     28.959      0.000
35      -66.76724   1.80000  1.834807   42.71    0.5642     27.680    -25.439
36       31.78289   5.96382  1.516330   64.14    0.5352     26.920     40.328
37      -57.12906   2.99922  1.000000    0.00    0.0000     26.986      0.000
38       74.16565   5.82778  1.487490   70.23    0.5300     26.341     43.864
39      -29.41052   1.80000  1.834000   37.16    0.5775     26.221    -40.998
40     -208.06642   0.27424  1.000000    0.00    0.0000     26.784      0.000
41       54.81439   4.45246  1.516330   64.14    0.5352     27.082     58.955
42      -67.11834   4.50000  1.000000    0.00    0.0000     26.954      0.000
43        0.00000  30.00000  1.603420   38.01    0.5795     40.000      0.000
44        0.00000  16.20000  1.516330   64.15    0.5352     40.000      0.000
45        0.00000   0.00000  1.000000    0.00    0.0000     40.000      0.000
【００５６】
非球面データ
第13面
K = 8.30817e+000  A 4= 1.10412e-005  A 6=-6.32164e-008
A 8= 2.13591e-010  A10=-3.02948e-012  A12= 9.00926e-015
A 3=-9.63886e-006  A 5=-7.07993e-010  A 7= 9.37484e-010
A 9= 3.56559e-011  A11=-1.15466e-013  
各種データ
ズーム比     18.00 
広角     中間     望遠
焦点距離       7.50    30.45   135.00
Fナンバー      1.80     1.80     2.20
画角          36.25    10.24     2.33
像高           5.50     5.50     5.50
レンズ全長   271.07   271.07   271.07
BF             8.77     8.77     8.77
d12            0.58    35.32    50.57
d21           53.73    13.63     4.58
d24            2.40     7.75     1.54
d45            8.77     8.77     8.77
入射瞳位置    48.66   169.08   513.91
射出瞳位置  1214.65  1214.65  1214.65
前側主点位置  56.20   200.30   664.02
後側主点位置   1.27   -21.68  -126.23
ズームレンズ群データ
群  始面    焦点距離  レンズ構成長  前側主点位置  後側主点位置
1    1      65.60        58.39        35.69          2.87
2   13     -12.88        20.73         2.27        -11.46
3   22     -41.20         3.57        -0.13         -2.09
4   25      46.57       122.91        48.28       -102.51
【実施例４】
【００５７】
図７は本発明の実施例４としての数値実施例４の広角端におけるレンズ断面図である。
図８に、数値実施例４の（Ａ）広角端、（Ｂ）焦点距離f=27.41ｍｍ、（Ｃ）望遠端における収差図を示す。
【００５８】
図７に示すように、本実施例のズームレンズは、第１群としての正の屈折力の前玉レンズ群Ｆ、第２群としての変倍のための負の屈折力のバリエータＶ、第３群としての負の屈折力のコンペンセータＣを有する。第１群Ｆは、最も物体側に配置され、変倍及び合焦のためには移動しない部分系１ａと、変倍のためには移動せず合焦のために移動する正の部分系１ｂとを含む。バリエータＶは、光軸上を像面側へ単調に移動することにより、広角端から望遠端への変倍を行っている。コンペンセータＣは、変倍に伴う像面変動を補正するために光軸上を物体側へ非直線的に移動する。バリエータＶとコンペンセータＣとで変倍系を構成している。本実施例のズームレンズは、さらに、絞りＳＰ、第４群としての結像作用を有する正の屈折力の固定のリレ−群Ｒ、図５ではガラスブロックＰとして示されている色分解プリズムや光学フィルタ−等を含む。Ｉは撮像面である。
【００５９】
次に、本実施例における第１群について説明する。第１群は第１面〜第１２面に対応する。第１群は物体側より順に負レンズ、接合された負レンズ正レンズ、正レンズ、正レンズ、正レンズで構成される。部分系１ａの正レンズが、第１群内で（１）〜（３）の条件式を満たす正レンズに対応している。
【００６０】
本実施例の各条件式対応値を表１に示す。本数値実施例はいずれの条件式も満足しており、ズーム比15倍以上の高倍率を達成しながら小型化し、望遠端での色収差を良好に補正した高い光学性能を達成している。
【００６１】
〈数値実施例４〉
面番号      r         d        nd        vd       θgF     有効径   焦点距離
1     -305.80227   3.00000  1.834000   37.16    0.5775     88.941    -87.707
2       97.38724  12.14272  1.000000    0.00    0.0000     80.932      0.000
3      303.55135   3.00000  1.805181   25.42    0.6161     80.297   -201.729
4      105.97483   0.00000  1.000000    0.00    0.0000     80.783      0.000
5      105.97483  14.98271  1.768230   72.21    0.5289     80.783     92.429
6     -203.99407   6.04162  1.000000    0.00    0.0000     81.016      0.000
7      243.41972   4.93805  1.487490   70.23    0.5300     78.713    469.083
8    -3971.64714   4.90452  1.000000    0.00    0.0000     78.368      0.000
9      106.09071  12.27443  1.487490   70.23    0.5300     75.589    140.474
10     -187.61375   0.13500  1.000000    0.00    0.0000     74.850      0.000
11       60.87268   6.86142  1.729157   54.68    0.5444     62.517    133.922
12      152.82683    (可変)  1.000000    0.00    0.0000     61.331      0.000
13      144.04329   0.70000  1.882997   40.76    0.5667     28.449    -16.833
14       13.51307   6.02729  1.000000    0.00    0.0000     21.639      0.000
15     -187.50562   7.14242  1.808095   22.76    0.6307     21.443     15.607
16      -12.13544   0.70000  1.882997   40.76    0.5667     21.050    -11.819
17       79.84813   0.40813  1.000000    0.00    0.0000     20.196      0.000
18       26.33299   5.02011  1.567322   42.80    0.5730     20.212     25.716
19      -30.82814   1.01102  1.000000    0.00    0.0000     19.814      0.000
20      -24.24172   0.70000  1.882997   40.76    0.5667     19.129    -33.986
21     -124.80410    (可変)  1.000000    0.00    0.0000     19.073      0.000
22      -26.83081   0.70000  1.743198   49.34    0.5530     20.302    -22.788
23       47.05009   3.54134  1.846660   23.78    0.6205     22.277     51.820
24     -733.95031    (可変)  1.000000    0.00    0.0000     23.179      0.000
25        0.00000   1.30000  1.000000    0.00    0.0000     24.938      0.000
26     -128.80950   4.94607  1.658441   50.88    0.5561     25.476     67.334
27      -33.60356   0.15000  1.000000    0.00    0.0000     26.986      0.000
28       56.58635   3.94962  1.517417   52.43    0.5564     28.645    100.917
29     -701.01436   0.15000  1.000000    0.00    0.0000     28.723      0.000
30       74.24770   6.46465  1.522494   59.84    0.5439     28.788     46.671
31      -35.43199   1.80000  1.834807   42.71    0.5642     28.562    -51.129
32     -207.78917  25.00000  1.000000    0.00    0.0000     28.822      0.000
33       55.51415   6.23288  1.517417   52.43    0.5564     28.662     48.203
34      -43.90878   1.02297  1.000000    0.00    0.0000     28.289      0.000
35      -62.45415   1.80000  1.834807   42.71    0.5642     26.946    -22.517
36       27.46229   7.23161  1.516330   64.14    0.5352     25.968     33.514
37      -43.00893   2.99922  1.000000    0.00    0.0000     26.052      0.000
38    -1652.06674   6.61959  1.487490   70.23    0.5300     24.697     46.072
39      -22.26190   1.80000  1.834000   37.16    0.5775     24.147    -34.445
40     -100.37715   0.27424  1.000000    0.00    0.0000     24.632      0.000
41       35.69607   4.61833  1.487490   70.23    0.5300     24.589     48.353
42      -67.11834   4.50000  1.000000    0.00    0.0000     24.262      0.000
43        0.00000  30.00000  1.603420   38.01    0.5795     40.000      0.000
44        0.00000  16.20000  1.516330   64.15    0.5352     40.000      0.000
45        0.00000   0.00000  1.000000    0.00    0.0000     40.000      0.000
【００６２】
非球面データ
第13面
K =-9.69484e+001  A 4= 2.46569e-005  A 6=-7.14936e-008
A 8= 3.51212e-010  A10=-2.49953e-012  A12= 9.23189e-015
A 3=-1.04326e-005  A 5= 2.14291e-007  A 7=-2.42573e-009
A 9= 3.39200e-011  A11=-1.38138e-013  
各種データ
ズーム比     16.00 
広角     中間     望遠
焦点距離       6.75    27.41   108.00
Fナンバー      1.80     1.80     2.08
画角          39.17    11.35     2.92
像高           5.50     5.50     5.50
レンズ全長   284.87   284.87   284.87
BF             7.90     7.90     7.90
d12            0.60    34.88    49.15
d21           52.98    13.49     4.30
d24            2.10     7.32     2.23
d45            7.90     7.90     7.90
入射瞳位置    49.70   149.70   405.44
射出瞳位置   432.76   432.76   432.76
前側主点位置  56.55   178.87   540.89
後側主点位置   1.15   -19.51  -100.10
ズームレンズ群データ
群  始面    焦点距離  レンズ構成長  前側主点位置  後側主点位置
1    1      59.04        68.28        44.01          8.44
2   13     -12.88        21.71         2.17        -11.80
3   22     -41.20         4.24        -0.15         -2.47
4   25      50.32       127.06        55.46       -110.92
【００６３】
本明細書においては、正の屈折力を有する第１群、負の屈折力を有する第２群、負の屈折力を有する第３群、正の屈折力を有する第４群を備えるズームレンズについて記載したが、本発明の適用範囲はこの限りではない。例えば、パワー配置が物体側から順に、正負正正の４群構成や、正負正負正、正負正正正、正負負負正、正負負正正といった５群構成にも適用可能である。
【００６４】
以上、本発明の好ましい実施例について説明したが、本発明はこれらの実施例に限定されないことは云うまでもなく、その要旨の範囲内で種々の変形及び変更が可能である。
【００６５】
【表１】
0005836157.tif 000005
【符号の説明】
【００６６】
Ｆ  第１レンズ群
Ｖ  第２レンズ群
Ｃ  第３レンズ群
Ｒ  第４レンズ群
【図１】
0005836157.tif 000007
【図２】
0005836157.tif 000008
【図３】
0005836157.tif 000009
【図４】
0005836157.tif 000010
【図５】
0005836157.tif 000011
【図６】
0005836157.tif 000012
【図７】
0005836157.tif 000013
【図８】
0005836157.tif 000014
【図９】
0005836157.tif 000015
【図１０】
0005836157.tif 000016